【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
シンボルの第1の組とシンボルの第2の組とからなるプリアンブル信号を生成するステップであり、前記シンボルの第1の組が、プリアンブルシーケンスのパイロットシンボルに関連付けられたサブキャリアの第1の組にマッピングされた第1の無線アクセス技術(RAT)に関連付けられた前記プリアンブルシーケンスに対応し、前記シンボルの第2の組が、サブキャリアの第2の組にマッピングされた第2のRATに関連付けられたシグネチャに対応し、前記サブキャリアの第2の組が、前記サブキャリアの第1の組のそれぞれのサブキャリアの間の1つまたは複数のサブキャリア周波数からなり、前記シンボルの第1の組が、前記第1のRATと前記第2のRATの両方にとって識別可能であり、前記シンボルの第2の組が、前記第2のRATにとって識別可能である、ステップと、
前記第1のRATおよび前記第2のRATによって共有される周波数チャネルを介して前記プリアンブル信号を送信するステップと
を含む方法。
【請求項２】
前記生成するステップが、
周波数領域信号を取得するために、前記シンボルの第1の組と前記シンボルの第2の組との周波数ドメイン重畳を実行するためのステップと、
前記周波数領域信号において周波数領域から時間領域への変換を実行するステップと
を含む、請求項1に記載の方法。
【請求項３】
前記生成するステップが、
前記周波数領域の重畳を実行する前記ステップの前に、前記シンボルの第2の組に利得比を適用するステップ
をさらに含む、請求項2に記載の方法。
【請求項４】
前記サブキャリアの第1の組が、前記第1のRATを介した送信に関連付けられた第1のサブキャリア間隔を有するサブキャリアのサブセットを含み、前記サブキャリアの第2の組が、前記第1のサブキャリア間隔よりも小さい第2のサブキャリア間隔を有する1つまたは複数のサブキャリアを含む、請求項1に記載の方法。
【請求項５】
前記生成するステップが、
前記第2のRATの送信に関連付けられたサンプリング周波数に対する前記プリアンブル信号を再サンプリングするステップ
を含む、請求項1に記載の方法。
【請求項６】
前記第2のRATの送信に関連付けられた前記サンプリング周波数が、前記第1のRATの送信に関連付けられたサンプリング周波数とは異なる、請求項5に記載の方法。
【請求項７】
前記シグネチャが、互いの相互相関が低いあらかじめ定義されたシグネチャの組から選択される、請求項1に記載の方法。
【請求項８】
前記あらかじめ定義されたシグネチャの組から前記シグネチャの選択が、前記第2のRATの送信機デバイスに関連付けられたデバイス識別子、前記第2のRATのセルに関連付けられたセル識別子、前記第2のRATのサポートされたリリースバージョン、前記送信機デバイスの電力クラス、送信長さ、パブリックランドモバイルネットワークID、チャネル番号、またはそれらの任意の組合せに少なくとも部分的に基づく、請求項7に記載の方法。
【請求項９】
前記あらかじめ定義されたシグネチャの組が、1つまたは複数のChuシーケンスを含む、請求項7に記載の方法。
【請求項１０】
前記生成するステップが、
擬似雑音(PN)関数に少なくとも部分的に基づいて前記シグネチャを生成するステップ
を含む、請求項1に記載の方法。
【請求項１１】
前記送信のための送信電力が、前記第1のRATに関連付けられた前記プリアンブルシーケンスについてのあらかじめ定義された送信電力レベルに少なくとも部分的に基づいて選択される、請求項1に記載の方法。
【請求項１２】
前記第1のRATが、ワイヤレスローカルエリアネットワーク(WLAN)RATを含み、前記シンボルの第1の組が、前記WLAN RATのショートトレーニングフィールド(STF)またはロングトレーニングフィールド(LTF)の一方または両方のパイロットシンボルを含み得、前記第2のRATが、ロングタームエボリューション(LTE)RATまたはLTE-Advanced(LTE-A) RATを含む、請求項1に記載の方法。
【請求項１３】
ワイヤレス通信の方法であって、
共有周波数チャネルを介して送信されたプリアンブル信号を受信するステップであり、前記プリアンブル信号が、第1の無線アクセス技術(RAT)に関連付けられたあらかじめ定められたプリアンブル持続時間を有し、前記プリアンブル信号が、プリアンブルシーケンスのパイロットシンボルに関連付けられたサブキャリアの第1の組にマッピングされた前記第1のRATに関連付けられた前記プリアンブルシーケンスに対応するシンボルの第1の組、およびサブキャリアの第2の組にマッピングされた第2のRATに関連付けられたシグネチャに対応するシンボルの第2の組を有し、前記サブキャリアの第2の組が、前記サブキャリアの第1の組のそれぞれのサブキャリアの間の1つまたは複数のサブキャリア周波数からなる、ステップと、
前記受信されたプリアンブル信号内の前記シグネチャに少なくとも部分的に基づいて、前記受信されたプリアンブル信号に関連付けられた送信機デバイスが前記第2のRATに関連付けられていると判定するステップと
を含む方法。
【請求項１４】
前記判定するステップが、
前記受信されたプリアンブル信号を、前記第2のRATの送信に関連付けられた第1のサンプリングレートでサンプリングするステップと、
前記受信されたプリアンブル信号を、前記第1のRATのプリアンブル送信に関連付けられた第2のサンプリングレートで再サンプリングするステップと
を含む請求項13に記載の方法。
【請求項１５】
前記判定するステップが、
前記受信されたプリアンブル信号と前記第2のRATに関連付けられた前記シグネチャとの周波数領域の相関を実行するステップ
を含む、請求項13に記載の方法。
【請求項１６】
前記周波数領域の相関を実行するステップが、
前記周波数領域の相関をしきい値と比較するステップ
を含む、請求項15に記載の方法。
【請求項１７】
前記しきい値が、前記受信されたプリアンブル信号の信号対雑音比(SNR)または信号対干渉雑音比(SINR)に少なくとも部分的に基づいて決定される、請求項16に記載の方法。
【請求項１８】
前記シンボルの第1の組が、ワイヤレスローカルエリアネットワーク(WLAN) RATのショートトレーニングフィールド(STF)またはロングトレーニングフィールド(LTF)の一方または両方のパイロットシンボルを含み、前記受信されたプリアンブル信号に関連付けられた前記送信機デバイスが前記第2のRATに関連付けられていると判定する前記ステップが、前記STF、前記LTF、またはそれらの任意の組合せにおける前記シンボルの第2の組の識別に少なくとも部分的に基づく、請求項13に記載の方法。
【請求項１９】
ワイヤレス通信のための装置であって、
プロセッサと、
前記プロセッサと電子通信するメモリと、
前記メモリに記憶された命令であって、前記プロセッサによって実行されると、
シンボルの第1の組とシンボルの第2の組とからなるプリアンブル信号を生成させることであって、前記シンボルの第1の組が、プリアンブルシーケンスのパイロットシンボルに関連付けられたサブキャリアの第1の組にマッピングされた第1の無線アクセス技術(RAT)に関連付けられた前記プリアンブルシーケンスに対応し、前記シンボルの第2の組が、サブキャリアの第2の組にマッピングされた第2のRATに関連付けられたシグネチャに対応し、前記サブキャリアの第2の組が、前記サブキャリアの第1の組のそれぞれのサブキャリアの間の1つまたは複数のサブキャリア周波数からなり、前記シンボルの第1の組が、前記第1のRATと前記第2のRATの両方にとって識別可能であり、前記シンボルの第2の組が、前記第2のRATにとって識別可能である、前記生成させることと、
前記第1のRATおよび前記第2のRATによって共有される周波数チャネルを介して前記プリアンブル信号を送信させることと、
を前記装置に動作可能な前記命令と
を含む装置。
【請求項２０】
前記プリアンブル信号を生成させる前記命令が、
周波数領域信号を取得するために、前記シンボルの第1の組と前記シンボルの第2の組との周波数領域の重畳を実行させることと、
前記周波数領域信号において周波数領域から時間領域への変換を実行させること
を前記装置に動作可能に構成される、請求項19に記載の装置。
【請求項２１】
前記プリアンブル信号を生成させる前記命令が、
前記周波数領域の重畳を実行する前に、前記シンボルの第2の組に利得比を適用させること
を前記装置に動作可能に構成される、請求項20に記載の装置。
【請求項２２】
前記プリアンブル信号を生成させる前記命令が、
前記第2のRATの送信に関連付けられたサンプリング周波数に対する前記プリアンブル信号を再サンプリングさせること
を前記装置に動作可能に構成される、請求項19に記載の装置。
【請求項２３】
前記シグネチャが、互いの相互相関が低いあらかじめ定義されたシグネチャの組から選択される、請求項19に記載の装置。
【請求項２４】
前記あらかじめ定義されたシグネチャの組から前記シグネチャを選択させる命令が、
前記第2のRATの送信機デバイスに関連付けられたデバイス識別子、前記第2のRATのセルに関連付けられたセル識別子、前記第2のRATのサポートされたリリースバージョン、前記送信機デバイスの電力クラス、送信長さ、パブリックランドモバイルネットワークID、チャネル番号、またはそれらの任意の組合せに少なくとも部分的に基づくように動作可能に構成される、請求項23に記載の装置。
【請求項２５】
前記命令が、擬似雑音(PN)関数に少なくとも部分的に基づいて前記シグネチャを生成させること、を前記装置に動作可能に構成される、請求項19に記載の装置。
【請求項２６】
ワイヤレス通信のための装置であって、
プロセッサと、
前記プロセッサと電子通信するメモリと、
前記メモリに記憶された命令であって、前記プロセッサによって実行されると、
共有周波数チャネルを介して送信されたプリアンブル信号を受信させることであって、前記プリアンブル信号が、第1の無線アクセス技術(RAT)に関連付けられたあらかじめ定められたプリアンブル持続時間を有し、前記プリアンブル信号が、プリアンブルシーケンスのパイロットシンボルに関連付けられたサブキャリアの第1の組にマッピングされた前記第1のRATに関連付けられた前記プリアンブルシーケンスに対応するシンボルの第1の組、およびサブキャリアの第2の組にマッピングされた第2のRATに関連付けられたシグネチャに対応するシンボルの第2の組を有し、前記サブキャリアの第2の組が、前記サブキャリアの第1の組のそれぞれのサブキャリアの間の1つまたは複数のサブキャリア周波数からなる、前記受信させることと、
前記受信されたプリアンブル信号内の前記シグネチャに少なくとも部分的に基づいて、前記受信されたプリアンブル信号に関連付けられた送信機デバイスが前記第2のRATに関連付けられていると判定させることと
を前記装置に動作可能な前記命令と
を含む装置。
【請求項２７】
前記送信機デバイスが前記第2のRATに関連付けられていると判定させる前記命令が、
前記受信されたプリアンブル信号を、前記第2のRATの送信に関連付けられた第1のサンプリングレートでサンプリングさせることと、
前記受信されたプリアンブル信号を、前記第1のRATのプリアンブル送信に関連付けられた第2のサンプリングレートで再サンプリングさせることと
を前記装置に動作可能に構成される、請求項26に記載の装置。
【請求項２８】
前記送信機デバイスが前記第2のRATに関連付けられていると判定させる前記命令が、
前記受信されたプリアンブル信号と前記シグネチャとの周波数領域の相関を実行させることと
を前記装置に動作可能に構成される、請求項26に記載の装置。
【請求項２９】
前記サブキャリアの第1の組が、前記第1のRATを介した送信に関連付けられた第1のサブキャリア間隔を有するサブキャリアのサブセットを含み、前記サブキャリアの第2の組が、前記第1のサブキャリア間隔よりも小さい第2のサブキャリア間隔を有する1つまたは複数のサブキャリアを含む、請求項19に記載の装置。
【請求項３０】
前記シンボルの第1の組が、ワイヤレスローカルエリアネットワーク(WLAN) RATのショートトレーニングフィールド(STF)またはロングトレーニングフィールド(LTF)の一方または両方のパイロットシンボルを含み、前記受信されたプリアンブル信号に関連付けられた前記送信機デバイスが前記第2のRATに関連付けられていると判定させることが、前記STF、前記LTF、またはそれらの任意の組合せにおける前記シンボルの第2の組の識別に少なくとも部分的に基づく、請求項26に記載の装置。